(57)【要約】【課題】  相互接続されたネットワークにおいて、各ネットワークの既存の保守システムを用いて安価かつ迅速に、ネットワークをまたがったエンド・ツー・エンドのリソースを管理することができるリソース管理方法及びシステムを提供する。【解決手段】  複数のネットワークが接続される通信ネットワークにおいて、各ネットワークに備えられたリソース管理システムは、パスの情報とこのパスを用いて通信を行う端末の情報とを関連付けて記憶するとともに、隣接するネットワークのパスの情報を端末の情報として記憶する。これにより、リソース管理システムにおいて、自身の管理するパスが故障した場合に影響が及ぶ隣接するネットワークのパスが特定される。さらに、この特定された隣接するネットワークのパスを管理するリソース管理システムにおいて、当該ネットワーク内で故障の影響が及ぶ端末が特定される。【選択図】      図７
2005045623.tif 000002
【特許請求の範囲】
【請求項１】
ネットワーク内のリソースを管理するリソース管理システムを備えたネットワークを複数接続してなる通信ネットワークにおいて、該通信ネットワーク内で相互に通信を行う端末を管理するリソース管理方法であって、
リソース管理システムが、
パスの情報と、前記パスを用いて通信を行う端末の情報とを関連付けて記憶するとともに、隣接するネットワークのパスの情報を端末の情報として記憶する記憶手段を用意し、
パスの識別情報の入力を受け、該パスの識別情報で特定されるパスを用いて通信を行う端末の情報及び隣接するネットワークのパスに対応する端末の情報を前記記憶手段から読み出して出力し、
前記リソース管理システムの属するネットワークと隣接するネットワークのリソース管理システムが、
パスの情報と、前記パスを用いて通信を行う端末の情報とを関連付けて記憶する記憶手段を用意し、
前記リソース管理システムが出力した隣接するネットワークのパスに対応する端末の情報で特定されるパスの識別情報の入力を受け、該パスの識別情報で特定されるパスを用いて通信を行う端末の情報を自身の記憶手段から読み出して出力する、
ことを特徴とするリソース管理方法。
【請求項２】
ネットワーク内のリソースを管理するリソース管理システムを備えたネットワークを複数接続してなる通信ネットワークにおいて、該通信ネットワーク内で相互に通信を行う端末を管理するリソース管理方法であって、
リソース管理システムが、
パスの情報と、前記パスを用いて通信を行う端末の情報とを関連付けて記憶するとともに、隣接するネットワークのパスの情報を端末の情報として記憶する記憶手段を用意し、
パスの識別情報の入力を受け、該パスの識別情報で特定されるパスを用いて通信を行う端末の情報及び隣接するネットワークのパスに対応する端末の情報を前記記憶手段から読み出して出力し、
任意の回数まで再帰的に、
隣接するネットワークのパスを収容するネットワークのリソース管理システムが、
相互に通信を行うグループを識別するグループ識別情報を含むパスの情報と、前記パスを用いて通信を行う端末の情報とを関連付けて記憶するとともに、隣接するネットワークのパスの情報を端末の情報として記憶する記憶手段を用意し、
自身の属するネットワークと隣接するネットワークの管理システムが出力した端末の情報で特定されるパスの識別情報の入力を受け、該パスの識別情報で特定されるパスを用いて通信を行う端末の情報を自身の記憶手段から読み出して出力し、
自身の記憶手段を参照して、入力された前記パスの識別情報で特定されるパスの情報と同じグループ識別情報を持つパスを特定し、この特定されたパスを用いて通信を行う隣接するネットワークのパスに対応する端末の情報を読み出して出力することを繰り返す、
ことを特徴とするリソース管理方法。
【請求項３】
ネットワーク内のリソースを管理するリソース管理システムを備えたネットワークを複数接続してなる通信ネットワークにおいて、該通信ネットワーク内で相互に通信を行う端末を管理するリソース管理方法であって、
リソース管理システムが、
パスの情報と、相互に通信を行うグループを識別するグループ識別情報を含み、前記パスを用いて通信を行う受信側の端末の情報とを関連付けて記憶するとともに、隣接するネットワークのパスの情報を端末の情報として記憶する記憶手段を用意し、
パスの識別情報の入力を受け、該パスの識別情報で特定されるパスを用いて通信を行う隣接するネットワークのパスに対応した端末の情報内のグループ識別情報を前記記憶手段から読み出して出力し、
さらに、前記グループ識別情報を持つ他の端末の情報を前記記憶手段から読み出して出力し、
前記リソース管理システムの属するネットワークと隣接するネットワークのリソース管理システムが、
相互に通信を行うグループを識別するグループ識別情報を含む端末の情報を記憶する記憶手段を用意し、
前記リソース管理システムが出力したグループ識別情報の入力を受け、該グループ識別情報を持つ端末の情報を自身の記憶手段から読み出して出力する、
ことを特徴とするリソース管理方法。
【請求項４】
ネットワーク内のリソースを管理するリソース管理システムを備えたネットワークを複数接続してなる通信ネットワークに用いられるリソース管理システムであって、
パスの情報と、前記パスを用いて通信を行う端末の情報とを関連付けて記憶するとともに、隣接するネットワークのパスの情報を端末の情報として記憶する記憶手段と、
パスの識別情報の入力を受け、該パスの識別情報で特定されるパスを用いて通信を行う端末の情報及び隣接するネットワークのパスに対応する端末の情報を前記記憶手段から読み出す読出手段と、
前記読出手段が読み出した前記端末の情報及び隣接するネットワークのパスに対応する端末の情報を出力する出力手段と、
を備えることを特徴とするリソース管理システム。
【請求項５】
ネットワーク内のリソースを管理するリソース管理システムを備えたネットワークを複数接続してなる通信ネットワークに用いられるリソース管理システムであって、
パスの情報と、前記パスを用いて通信を行う端末の情報とを関連付けて記憶する記憶手段と、
他のリソース管理システムが出力した隣接するネットワークに対応する端末の情報で特定されるパスの識別情報の入力を受け、該パスの識別情報で特定されるパスを用いて通信を行う端末の情報を前記記憶手段から読み出す読出手段と、
前記読出手段が読み出した端末の情報を出力する出力手段と、
を備えることを特徴とするリソース管理システム。
【請求項６】
ネットワーク内のリソースを管理するリソース管理システムを備えたネットワークを複数接続してなる通信ネットワークに用いられるリソース管理システムであって、
相互に通信を行うグループを識別するグループ識別情報を含むパスの情報と、前記パスを用いて通信を行う端末の情報とを関連付けて記憶するとともに、隣接するネットワークのパスの情報を端末の情報として記憶する記憶手段と、
他のリソース管理システムが出力した隣接するネットワークに対応する端末の情報で特定されるパスの識別情報の入力を受け、該パスの識別情報で特定されるパスを用いて通信を行う端末の情報を前記記憶手段から読み出し、さらに、前記記憶手段を参照して、入力された前記パスの識別情報で特定されるパスの情報と同じグループ識別情報を持つパスを特定し、この特定されたパスを用いて通信を行う隣接するネットワークのパスに対応する端末の情報を読み出す読出手段と、
前記読出手段が読み出した端末の情報と、隣接するネットワークのパスに対応する端末の情報とを出力する出力手段と、
を備えることを特徴とするリソース管理システム。
【請求項７】
ネットワーク内のリソースを管理するリソース管理システムを備えたネットワークを複数接続してなる通信ネットワークに用いられるリソース管理システムであって、
パスの情報と、相互に通信を行うグループを識別するグループ識別情報を含み、前記パスを用いて通信を行う受信側の端末の情報とを関連付けて記憶するとともに、隣接するネットワークのパスの情報を端末の情報として記憶する記憶手段と、
パスの識別情報の入力を受け、該パスの識別情報で特定されるパスを用いて通信を行う隣接するネットワークのパスに対応した受信側の端末の情報を読み出し、さらに、この隣接するネットワークのパスに対応した受信側の端末の情報と同一のグループ識別情報を持つ他の端末の情報を前記記憶手段から読み出す読出手段と、
前記読出手段が読み出した他の端末の情報と前記グループ識別情報とを出力する出力手段と、
を備えることを特徴とするリソース管理システム。
【請求項８】
ネットワーク内のリソースを管理するリソース管理システムを備えたネットワークを複数接続してなる通信ネットワークに用いられるリソース管理システムであって、
相互に通信を行うグループを識別するグループ識別情報を含む端末の情報を記憶する記憶手段と、
他のリソース管理システムが出力したグループ識別情報の入力を受け、該グループ識別情報を持つ端末の情報を前記記憶手段から読み出す読出手段と、
前記読出手段が読み出した端末の情報を出力する出力手段と、
を備えることを特徴とするリソース管理システム。
【請求項９】
ネットワーク内のリソースを管理するリソース管理システムを備えたネットワークを複数接続してなる通信ネットワークに用いられるリソース管理システムのコンピュータプログラムであって、
パスの識別情報の入力を受け、パスの情報と、前記パスを用いて通信を行う端末の情報とを関連付けて記憶するとともに、隣接するネットワークのパスの情報を端末の情報として記憶する記憶手段から、該パスの識別情報で特定されるパスを用いて通信を行う端末の情報及び隣接するネットワークのパスに対応する端末の情報を読み出すステップと、
読み出した端末の情報及び隣接するネットワークのパスに対応する端末の情報を出力するステップと、
をコンピュータに実行させることを特徴とするコンピュータプログラム。
【請求項１０】
ネットワーク内のリソースを管理するリソース管理システムを備えたネットワークを複数接続してなる通信ネットワークに用いられるリソース管理システムのコンピュータプログラムであって、
隣接するネットワークの他のリソース管理システムが出力した隣接するネットワークに対応する端末の情報で特定されるパスの識別情報の入力を受け、パスの情報と、前記パスを用いて通信を行う端末の情報とを関連付けて記憶する記憶手段から、該パスの識別情報で特定されるパスを用いて通信を行う端末の情報を読み出すステップと、
読み出した端末の情報を出力するステップと、
をコンピュータに実行させることを特徴とするコンピュータプログラム。
【請求項１１】
ネットワーク内のリソースを管理するリソース管理システムを備えたネットワークを複数接続してなる通信ネットワークに用いられるリソース管理システムのコンピュータプログラムであって、
他のリソース管理システムが出力した隣接するネットワークに対応する端末の情報で特定されるパスの識別情報の入力を受け、相互に通信を行うグループを識別するグループ識別情報を含むパスの情報と、前記パスを用いて通信を行う端末の情報とを関連付けて記憶するとともに、隣接するネットワークのパスの情報を端末の情報として記憶する記憶手段から、該パスの識別情報で特定されるパスを用いて通信を行う端末の情報を読み出すステップと、
前記記憶手段を参照して、入力された前記パスの識別情報で特定されるパスの情報と同じグループ識別情報を持つパスを特定し、この特定されたパスを用いて通信を行う隣接するネットワークのパスに対応する端末の情報を読み出すステップと、
読み出した端末の情報と、隣接するネットワークのパスに対応する端末の情報とを出力するステップと、
をコンピュータに実行させることを特徴とするコンピュータプログラム。
【請求項１２】
ネットワーク内のリソースを管理するリソース管理システムを備えたネットワークを複数接続してなる通信ネットワークに用いられるリソース管理システムのコンピュータプログラムであって、
パスの識別情報の入力を受け、パスの情報と、相互に通信を行うグループを識別するグループ識別情報を含み、前記パスを用いて通信を行う受信側の端末の情報とを関連付けて記憶するとともに、隣接するネットワークのパスの情報を端末の情報として記憶する記憶手段から、前記パスの識別情報で特定されるパスを用いて通信を行う隣接するネットワークのパスに対応した端末の情報内のグループ識別情報を前記記憶手段から読み出すステップと、
前記グループ識別情報を持つ他の端末の情報を前記記憶手段から読み出すステップと、
読み出した他の端末の情報と前記グループ識別情報とを出力するステップと、
をコンピュータに実行させることを特徴とするコンピュータプログラム。
【請求項１３】
ネットワーク内のリソースを管理するリソース管理システムを備えたネットワークを複数接続してなる通信ネットワークに用いられるリソース管理システムのコンピュータプログラムであって、
他のリソース管理システムが出力した相互に通信を行うグループを識別するグループ識別情報の入力を受け、グループ識別情報を含む端末の情報を記憶する記憶手段から、該グループ識別情報を持つ端末の情報を読み出すステップと、
読み出した端末の情報を出力するステップと、
をコンピュータに実行させることを特徴とするコンピュータプログラム。
【発明の詳細な説明】
【技術分野】
【０００１】
本発明は、リソース管理方法及びシステム、ならびに、コンピュータプログラムに関する。
【背景技術】
【０００２】
近年、ブロードバンドネットワークの拡大により、サービスの多様化が進んできている。今後は、異なるサービスを提供するネットワークを相互接続して新しいサービスが提供されることが想定される。このような新しいタイプのサービスは、サービス品質の観点から、レイヤ２（Ｌ２）あるいはレイヤ３（Ｌ３）のパスを用いたＭＰＬＳ（Multi-Point Label Switching）やＶＰＮにより提供される。このとき、顧客満足度の点から、障害に対する迅速な対応が重要となる。
ＩＰ（Internet Protocol）ベースのサービスを提供する各ネットワークは、市販のルータなどの装置を使用して構築することができる。これらの装置は、障害検出のような最低限の機能が用意されているが、各種設定を行うコンフィギュレーションや装置の制御は、ＥＭＳ（Element Management System）から行っていた。また、この各ネットワークは、それぞれが自身のネットワークに対応したＯＳＳ（Operations Support System：通信網運用支援システム）を用い、当該ネットワークの状態を監視・管理していた。
【０００３】
一方、非特許文献１及び非特許文献２には、専用線サービス等の既存通信サービスに対するエンド・ツー・エンドリソース管理方法が記載されており、送受信エンド端末を対により管理可能としている。これにより、パス等の論理情報とエンド端末間の関係を容易に管理することができる。
【非特許文献１】エジリ、イセダ（M.Ejiri and K.Iseda）,「テレコミュニケーションマネージメント（Telecommunication Management）[I]: テレコミュニケーションマネージメントコンセプト及び情報モデル（Telecommunication management Concept and Information Model）」，電子情報通信学会誌（J.IEICE）,２０００年，Ｖｏｌ．８３，Ｎｏ．８，ｐ．６３７−６４２
【非特許文献２】フジイ（N.Fujii），「テレコミュニケーションマネージメント（Telecommunication Management） [II]: ＴＭＮ統合マネージメント及びＯＳＩシステムマネージメント（TMN Integrated Management and OSI Systems Management）」，電子情報通信学会誌（J.IEICE）,２０００年，Ｖｏｌ．８３，Ｎｏ．９，ｐ．７０７−７１２
【発明の開示】
【発明が解決しようとする課題】
【０００４】
上述するＥＭＳにおいては、エンド・ツー・エンドのリソース管理を行っていなかった。また、各ネットワークのＯＳＳにおけるネットワーク管理方法及び管理項目はそれぞれ異なっていた。このため、設備の故障時に、ネットワークをまたがってどのユーザ（端末）に影響が及ぶかを把握するのは困難であった。
しかしながら、非特許文献１及び非特許文献２に記載の方法を用い、専用線サービス等の既存のレイヤ２通信サービスにおいてエンド・ツー・エンドリソース管理を行うには、多額な費用と工数がかかってしまっていた。また、ＩＰ系サービス、特にレイヤ３接続の場合、保守システムにおいて受信側エンド端末とパス等の論理情報の関係は把握できるが、送信側エンド端末がどれだか特定できず、障害時の波及範囲を把握することはでなかった。
【０００５】
本発明は、上記事情を考慮してなされたものであり、その目的は、相互接続されたネットワークにおいて、各ネットワークの既存の保守システムを用いて安価かつ迅速に、ネットワークをまたがったエンド・ツー・エンドのリソースを管理することができるリソース管理方法及びシステム、ならびに、コンピュータプログラムを提供することにある。
【課題を解決するための手段】
【０００６】
請求項１に記載の発明は、ネットワーク内のリソースを管理するリソース管理システムを備えたネットワークを複数接続してなる通信ネットワークにおいて、該通信ネットワーク内で相互に通信を行う端末を管理するリソース管理方法であって、リソース管理システムが、パスの情報と、前記パスを用いて通信を行う端末の情報とを関連付けて記憶するとともに、隣接するネットワークのパスの情報を端末の情報として記憶する記憶手段を用意し、パスの識別情報の入力を受け、該パスの識別情報で特定されるパスを用いて通信を行う端末の情報及び隣接するネットワークのパスに対応する端末の情報を前記記憶手段から読み出して出力し、前記リソース管理システムの属するネットワークと隣接するネットワークのリソース管理システムが、パスの情報と、前記パスを用いて通信を行う端末の情報とを関連付けて記憶する記憶手段を用意し、前記リソース管理システムが出力した隣接するネットワークのパスに対応する端末の情報で特定されるパスの識別情報の入力を受け、該パスの識別情報で特定されるパスを用いて通信を行う端末の情報を自身の記憶手段から読み出して出力する、ことを特徴とするリソース管理方法である。
【０００７】
請求項２に記載の発明は、ネットワーク内のリソースを管理するリソース管理システムを備えたネットワークを複数接続してなる通信ネットワークにおいて、該通信ネットワーク内で相互に通信を行う端末を管理するリソース管理方法であって、リソース管理システムが、パスの情報と、前記パスを用いて通信を行う端末の情報とを関連付けて記憶するとともに、隣接するネットワークのパスの情報を端末の情報として記憶する記憶手段を用意し、パスの識別情報の入力を受け、該パスの識別情報で特定されるパスを用いて通信を行う端末の情報及び隣接するネットワークのパスに対応する端末の情報を前記記憶手段から読み出して出力し、任意の回数まで再帰的に、隣接するネットワークのパスを収容するネットワークのリソース管理システムが、相互に通信を行うグループを識別するグループ識別情報を含むパスの情報と、前記パスを用いて通信を行う端末の情報とを関連付けて記憶するとともに、隣接するネットワークのパスの情報を端末の情報として記憶する記憶手段を用意し、自身の属するネットワークと隣接するネットワークの管理システムが出力した端末の情報で特定されるパスの識別情報の入力を受け、該パスの識別情報で特定されるパスを用いて通信を行う端末の情報を自身の記憶手段から読み出して出力し、自身の記憶手段を参照して、入力された前記パスの識別情報で特定されるパスの情報と同じグループ識別情報を持つパスを特定し、この特定されたパスを用いて通信を行う隣接するネットワークのパスに対応する端末の情報を読み出して出力することを繰り返す、ことを特徴とするリソース管理方法である。
【０００８】
請求項３に記載の発明は、ネットワーク内のリソースを管理するリソース管理システムを備えたネットワークを複数接続してなる通信ネットワークにおいて、該通信ネットワーク内で相互に通信を行う端末を管理するリソース管理方法であって、リソース管理システムが、パスの情報と、相互に通信を行うグループを識別するグループ識別情報を含み、前記パスを用いて通信を行う受信側の端末の情報とを関連付けて記憶するとともに、隣接するネットワークのパスの情報を端末の情報として記憶する記憶手段を用意し、パスの識別情報の入力を受け、該パスの識別情報で特定されるパスを用いて通信を行う隣接するネットワークのパスに対応した端末の情報内のグループ識別情報を前記記憶手段から読み出して出力し、さらに、前記グループ識別情報を持つ他の端末の情報を前記記憶手段から読み出して出力し、前記リソース管理システムの属するネットワークと隣接するネットワークのリソース管理システムが、相互に通信を行うグループを識別するグループ識別情報を含む端末の情報を記憶する記憶手段を用意し、前記リソース管理システムが出力したグループ識別情報の入力を受け、該グループ識別情報を持つ端末の情報を自身の記憶手段から読み出して出力する、ことを特徴とするリソース管理方法である。
【０００９】
請求項４に記載の発明は、ネットワーク内のリソースを管理するリソース管理システムを備えたネットワークを複数接続してなる通信ネットワークに用いられるリソース管理システムであって、パスの情報と、前記パスを用いて通信を行う端末の情報とを関連付けて記憶するとともに、隣接するネットワークのパスの情報を端末の情報として記憶する記憶手段と、パスの識別情報の入力を受け、該パスの識別情報で特定されるパスを用いて通信を行う端末の情報及び隣接するネットワークのパスに対応する端末の情報を前記記憶手段から読み出す読出手段と、前記読出手段が読み出した前記端末の情報及び隣接するネットワークのパスに対応する端末の情報を出力する出力手段と、を備えることを特徴とするリソース管理システムである。
【００１０】
請求項５に記載の発明は、ネットワーク内のリソースを管理するリソース管理システムを備えたネットワークを複数接続してなる通信ネットワークに用いられるリソース管理システムであって、パスの情報と、前記パスを用いて通信を行う端末の情報とを関連付けて記憶する記憶手段と、他のリソース管理システムが出力した隣接するネットワークに対応する端末の情報で特定されるパスの識別情報の入力を受け、該パスの識別情報で特定されるパスを用いて通信を行う端末の情報を前記記憶手段から読み出す読出手段と、前記読出手段が読み出した端末の情報を出力する出力手段と、を備えることを特徴とするリソース管理システムである。
【００１１】
請求項６に記載の発明は、ネットワーク内のリソースを管理するリソース管理システムを備えたネットワークを複数接続してなる通信ネットワークに用いられるリソース管理システムであって、相互に通信を行うグループを識別するグループ識別情報を含むパスの情報と、前記パスを用いて通信を行う端末の情報とを関連付けて記憶するとともに、隣接するネットワークのパスの情報を端末の情報として記憶する記憶手段と、他のリソース管理システムが出力した隣接するネットワークに対応する端末の情報で特定されるパスの識別情報の入力を受け、該パスの識別情報で特定されるパスを用いて通信を行う端末の情報を前記記憶手段から読み出し、さらに、前記記憶手段を参照して、入力された前記パスの識別情報で特定されるパスの情報と同じグループ識別情報を持つパスを特定し、この特定されたパスを用いて通信を行う隣接するネットワークのパスに対応する端末の情報を読み出す読出手段と、前記読出手段が読み出した端末の情報と、隣接するネットワークのパスに対応する端末の情報とを出力する出力手段と、を備えることを特徴とするリソース管理システムである。
【００１２】
請求項７に記載の発明は、ネットワーク内のリソースを管理するリソース管理システムを備えたネットワークを複数接続してなる通信ネットワークに用いられるリソース管理システムであって、パスの情報と、相互に通信を行うグループを識別するグループ識別情報を含み、前記パスを用いて通信を行う受信側の端末の情報とを関連付けて記憶するとともに、隣接するネットワークのパスの情報を端末の情報として記憶する記憶手段と、パスの識別情報の入力を受け、該パスの識別情報で特定されるパスを用いて通信を行う隣接するネットワークのパスに対応した受信側の端末の情報を読み出し、さらに、この隣接するネットワークのパスに対応した受信側の端末の情報と同一のグループ識別情報を持つ他の端末の情報を前記記憶手段から読み出す読出手段と、前記読出手段が読み出した他の端末の情報と前記グループ識別情報とを出力する出力手段と、を備えることを特徴とするリソース管理システムである。
【００１３】
請求項８に記載の発明は、ネットワーク内のリソースを管理するリソース管理システムを備えたネットワークを複数接続してなる通信ネットワークに用いられるリソース管理システムであって、相互に通信を行うグループを識別するグループ識別情報を含む端末の情報を記憶する記憶手段と、他のリソース管理システムが出力したグループ識別情報の入力を受け、該グループ識別情報を持つ端末の情報を前記記憶手段から読み出す読出手段と、前記読出手段が読み出した端末の情報を出力する出力手段と、を備えることを特徴とするリソース管理システムである。
【００１４】
請求項９に記載の発明は、ネットワーク内のリソースを管理するリソース管理システムを備えたネットワークを複数接続してなる通信ネットワークに用いられるリソース管理システムのコンピュータプログラムであって、パスの識別情報の入力を受け、パスの情報と、前記パスを用いて通信を行う端末の情報とを関連付けて記憶するとともに、隣接するネットワークのパスの情報を端末の情報として記憶する記憶手段から、該パスの識別情報で特定されるパスを用いて通信を行う端末の情報及び隣接するネットワークのパスに対応する端末の情報を読み出すステップと、読み出した端末の情報及び隣接するネットワークのパスに対応する端末の情報を出力するステップと、をコンピュータに実行させることを特徴とするコンピュータプログラムである。
【００１５】
請求項１０に記載の発明は、ネットワーク内のリソースを管理するリソース管理システムを備えたネットワークを複数接続してなる通信ネットワークに用いられるリソース管理システムのコンピュータプログラムであって、隣接するネットワークの他のリソース管理システムが出力した隣接するネットワークに対応する端末の情報で特定されるパスの識別情報の入力を受け、パスの情報と、前記パスを用いて通信を行う端末の情報とを関連付けて記憶する記憶手段から、該パスの識別情報で特定されるパスを用いて通信を行う端末の情報を読み出すステップと、読み出した端末の情報を出力するステップと、をコンピュータに実行させることを特徴とするコンピュータプログラムである。
【００１６】
請求項１１に記載の発明は、ネットワーク内のリソースを管理するリソース管理システムを備えたネットワークを複数接続してなる通信ネットワークに用いられるリソース管理システムのコンピュータプログラムであって、他のリソース管理システムが出力した隣接するネットワークに対応する端末の情報で特定されるパスの識別情報の入力を受け、相互に通信を行うグループを識別するグループ識別情報を含むパスの情報と、前記パスを用いて通信を行う端末の情報とを関連付けて記憶するとともに、隣接するネットワークのパスの情報を端末の情報として記憶する記憶手段から、該パスの識別情報で特定されるパスを用いて通信を行う端末の情報を読み出すステップと、前記記憶手段を参照して、入力された前記パスの識別情報で特定されるパスの情報と同じグループ識別情報を持つパスを特定し、この特定されたパスを用いて通信を行う隣接するネットワークのパスに対応する端末の情報を読み出すステップと、読み出した端末の情報と、隣接するネットワークのパスに対応する端末の情報とを出力するステップと、をコンピュータに実行させることを特徴とするコンピュータプログラムである。
【００１７】
請求項１２に記載の発明は、ネットワーク内のリソースを管理するリソース管理システムを備えたネットワークを複数接続してなる通信ネットワークに用いられるリソース管理システムのコンピュータプログラムであって、パスの識別情報の入力を受け、パスの情報と、相互に通信を行うグループを識別するグループ識別情報を含み、前記パスを用いて通信を行う受信側の端末の情報とを関連付けて記憶するとともに、隣接するネットワークのパスの情報を端末の情報として記憶する記憶手段から、前記パスの識別情報で特定されるパスを用いて通信を行う隣接するネットワークのパスに対応した端末の情報内のグループ識別情報を前記記憶手段から読み出すステップと、前記グループ識別情報を持つ他の端末の情報を前記記憶手段から読み出すステップと、読み出した他の端末の情報と前記グループ識別情報とを出力するステップと、をコンピュータに実行させることを特徴とするコンピュータプログラムである。
【００１８】
請求項１３に記載の発明は、ネットワーク内のリソースを管理するリソース管理システムを備えたネットワークを複数接続してなる通信ネットワークに用いられるリソース管理システムのコンピュータプログラムであって、他のリソース管理システムが出力した相互に通信を行うグループを識別するグループ識別情報の入力を受け、グループ識別情報を含む端末の情報を記憶する記憶手段から、該グループ識別情報を持つ端末の情報を読み出すステップと、読み出した端末の情報を出力するステップと、をコンピュータに実行させることを特徴とするコンピュータプログラムである。
【発明の効果】
【００１９】
本発明によれば、複数の独立したネットワークを相互接続して構成される通信ネットワークにおいて、既存の保守システムの管理項目に隣接するネットワーク設備との関係を構築することにより、安価かつ迅速にエンド・ツー・エンドのリソース管理方法及びシステムを導入することができる。これにより、あるネットワークに故障が発生した際に、ネットワークをまたがって、影響を被るユーザや端末を把握することができる。
【発明を実施するための最良の形態】
【００２０】
図１は、リソース管理システムとしてのＯＳＳ（Operations Support System：通信網運用支援システム）が保守対象とするネットワークの基本構成モデルを示す図である。ここでは、インターネットプロトコル（ＩＰ）を用いてネットワークが構築されているとする。同図において、ビル内には、複数の物理ポート（以下、単に「ポート」）を備えたルータなどの通信装置（以下、単に「装置」）が設置されている。そして、これらのポートには、端末が接続され、各端末間は、ＭＰＬＳ（Multi-Point Label Switching）やＶＬＡＮ（Virtual Local Area Network）などの論理パス（以下、単に「パス」）により通信を行う。すなわち、ビル、装置、ポート、端末は物理オブジェクトであり、一方、パスは論理オブジェクトである。
【００２１】
図２は、ＯＳＳにおいて、エンド・ツー・エンドリソースを管理するために使用されるデータ構造を示す図である。
障害が発生したときの迅速な診断及び影響が波及するユーザ（端末）の把握は、障害復旧の観点から最も重要なタスクである。図に示すデータ構造は、エンド・ツー・エンドリソース管理に必要な以下の基本的な条件を備える。
１）端末情報に対応するネットワークファシリティの確認
２）ネットワークファシリティから対応する端末の確認
【００２２】
ビル情報は、複数の装置情報を収容し、装置情報は、複数のポート情報を収容している。また、ポート情報は、複数のパス情報を多重している。そして、パス情報は、端末情報と関連付けられている。
ビル情報は、ビルが所在するエリアを示すエリアＩＤ、ビルを識別するビルＩＤ、アドレスなどの情報からなる。
装置情報は、装置のホスト名、製品名、シリアル番号などの情報からなる。
ポート情報は、着目している装置内の複数のポートを一意に識別するためのポートＩＤ、１つのネットワーク内でポート単位に一意に割り当てられたＩＰアドレスなどの情報からなる。
パス情報は、１つのネットワーク内でパスを一意に識別するためのパスＩＤ、レイヤ２（以下、「Ｌ２」）のマルチポイント接続の時に同じ情報を流すパスのグループを識別するためのグループＩＤなどからなる。なお、Ｌ２による接続（Ｌ２インタフェース）とは、ＭＡＣアドレスなどの物理アドレスに基づいてスイッチングを行う通信方法である。
端末情報は、１つのネットワーク内で端末を一意に識別するための端末ＩＤ、レイヤ３（以下、「Ｌ３」）のマルチポイント接続の時に同じ情報を享受する端末のグループを識別するためのグループＩＤなどからなる。なお、Ｌ３による接続（Ｌ３インタフェース）とは、ＩＰアドレスなどを用いてスイッチングを行う通信方法である。
着目したポートにどのパスが収容されているかを把握するために、ポート情報のポートＩＤとパス情報のパスＩＤとが関連付けられる。また、着目したパスの両端にどの端末が接続されているかを把握するために、パス情報のパスＩＤと端末情報の端末ＩＤが関連づけられる。
【００２３】
図３は、従来のエンド・ツー・エンド管理メカニズムを示す。
専用線サービス等の交換システムなどの従来の通信ネットワークにおいては、送信端末と受信端末のＩＤの関連をアクセスリストなどによりエッジノードにおいて対で管理していた。そのため、各エッジノードで管理されているアクセスリストを参照することにより、パス情報と両端の端末の関係を容易に把握することができた。図中の「ＩＮ」及び「ＯＵＴ」は、それぞれ、送信側及び受信側のアドレス情報を示す。
【００２４】
また、図４は、ＩＰ系のエンド・ツー・エンド管理メカニズムを示す。
Ｌ３インタフェースなどのＩＰを用いた通信ネットワークにおいては、各エッジノードにおいて受信端末のＩＤのみをアクセスリストなどにより管理しているため、送信端末は不明であり、パス情報と両端の端末を関連付けることは難しかった。なお、Ｌ２インタフェースのときには、図３に示すエンド・ツー・エンド管理メカニズムが適用される。
【００２５】
図５及び図６は、図３に示す従来システムにおけるリソース管理方法を示す図であり、図７は、本発明に適用するＩＰ系の通信ネットワークにおけるリソース管理方法を示す図である。ここでは、ネットワークＡのパス（ＬＳＰ−Ａ）とネットワークＢのパス（ＬＳＰ−Ｂ）とがネットワークＡ内のポートＡ及びネットワークＢ内のポートＢとで接続されており、ネットワークＡ内の端末Ａと、ネットワークＢ内の端末Ｂとが相互に通信を行うこととする。そして、ネットワークＡ内のポート情報、パス情報、及び、端末情報は、ＯＳＳ−Ａにより管理されるものとする。このとき、端末Ａ及び端末Ｂのデータをどのように関連付けて把握するかについて比較する。
【００２６】
従来は、ＯＳＳ−Ａにおいて、図５に示すように、隣接するネットワークＢのポートＢのポートＩＤを管理するか、あるいは、図６に示すように、隣接するネットワークＢ内のパスＩＤを管理していた。しかし、図５に示すリソース管理方法では、１つのポートに複数のＬＳＰが対応しているため、隣接するネットワークのパスを特定することができない。一方、図６に示すリソース管理方法では、図３に示す従来システムの場合、送信側及び受信側のＩＰアドレスが対応付けられるため、エンド・ツー・エンドリソース管理を行うことができる。しかし、図４に示すような受信端末しかわかならないＩＰ系の通信ネットワークを管理すると、両端の端末を特定することはできない。そこで、図７に示すように、本発明においては、ネットワークＢのパスＩＤ（ＬＳＰ−Ｂ）を、ＯＳＳ−Ａ内で管理する端末情報内の端末ＩＤとして管理することにより、パス情報と両端の端末情報を関係付ける。
【００２７】
次に、図８〜図１０を用いて、Ｌ２インタフェースを用いた通信ネットワークにおけるエンド・ツー・エンドリソース管理方法を説明する。
図８は、Ｌ２インタフェースを用いた通信ネットワークの構成を示す図である。
同図においては、ネットワーク１ａ、ネットワーク１ｂ及びネットワーク１ｃが存在し、それぞれのネットワークは、ＯＳＳ４ａ、ＯＳＳ４ｂ、ＯＳＳ４ｃにより管理される。そして、ネットワーク１ａに属する端末２ａは、ネットワーク１ｂに属する端末２ｂと、ネットワーク１ａ内のパスＬＳＰ−Ａ１及びネットワーク１ｂ内のパスＬＳＰ−Ｂ１を用いて通信を行う。また、端末２ｂは、ネットワーク１ｃに属する端末２ｃと、ネットワーク１ｂ内のパスＬＳＰ−Ｂ２及びネットワーク１ｃ内のパスＬＳＰ−Ｃ１を用いて通信を行う。そして、ＬＳＰ−Ｂ１及びＬＳＰ−Ｂ２は、同じ情報を流すパスのグループに属しているとする。
ＬＳＰ−Ａ１及びＬＳＰ−Ｂ１は、ネットワーク１ａ内の装置のポート３ａ−１と、ネットワーク１ｂ内の装置のポート３ｂ−１とを用いて接続される。また、ＬＳＰ−Ｂ２及びＬＳＰ−Ｃ１は、ネットワーク１ｂ内の装置のポート３ｂ−２と、ネットワーク１ｃ内の装置のポート３ｃ−１とを用いて接続される。
端末２ａは、当該端末２ａを収容する装置のポート３ａ−２をＬＳＰ−Ａ１による通信のために用いる。端末２ｂは、当該端末２ａを収容する装置のポート３ｂ−３をＬＳＰ−Ｂ１による通信のために、ポート３ｂ−４をＬＳＰ−Ｂ２による通信のために用いる。また、端末２ｃは、当該端末２ｃを収容する装置のポート３ｃ−２をＬＳＰ−Ｃ１による通信のために用いる。そして、端末２ａ、端末２ｂ、及び、端末２ｃと、各端末が収容される装置とは、Ｌ２インタフェースにより通信を行う。
【００２８】
図９は、図８に示す通信ネットワークの構成におけるエンド・ツー・エンドリソース管理方法を示す。
Ｌ２インタフェースの場合、従来の専用線同様、送受信端末の情報を各ノードで管理しており、パスと両端の端末の関連付けは容易に可能である。すなわち、Ｌ２インタフェースを用いた通信ネットワークでは、パスオブジェクトは、送受信端末オブジェクトとの関連を保持する。このため、パスから両端の端末を容易に特定することができる。このとき、図に示すように、隣接の接続されるネットワーク内のパスを端末オブジェクトとして管理する。すなわち、ＯＳＳ４ａにおいて、ＬＳＰ−Ａ１のパス情報には、端末２ａの端末情報と、隣接するネットワーク１ｂ内のＬＳＰ−Ｂ２に対応した端末情報とが関連付けられる。また、ＯＳＳ４ｂでは、ＬＳＰ−Ｂ１のパス情報に端末２ｂの端末情報が、ＬＳＰ−Ｂ２のパス情報に隣接するネットワーク１ｃ内のＬＳＰ−Ｃ１に対応した端末情報が関連付けられ、ＯＳＳ４ｃでは、ＬＳＰ−Ｃ１に端末２ｃの端末情報が関連づけられる。これにより、あるネットワークに障害が発生して障害パスが検出されると、当該ネットワークにおいてこの障害の影響が及ぶ端末及び隣接して接続されるネットワークのパスが特定することができる。以下にその概要を示す。
【００２９】
ステップＳ１１：ＬＳＰ−Ａ１が故障した場合、ＯＳＳ４ａは、ＬＳＰ−Ａ１に対応するパス情報内のパスＩＤを取得する。そして、取得したパスＩＤから両端の端末ＩＤを検索する。これにより、端末２ａの端末ＩＤとＬＳＰ−Ｂ１のパスＩＤが入手できる。
ステップＳ１２：ＬＳＰ−Ａ１の片端点がＬＳＰ−Ｂ１であることがわかる。
ステップＳ１３：ＯＳＳ４ｂに、ＬＳＰ−Ｂ１のパスＩＤを入力し、パス情報からマルチポイント接続下で同じ情報を流しているパスを見つける。具体的には、ＬＳＰ−Ｂ１が保有するグループＩＤと同一のグループＩＤを保有するパスを探す。その結果、ＬＳＰ−Ｂ２が特定される。また、ＬＳＰ−Ｂ１の両端の端末ＩＤを検索し、端末２ｂの端末ＩＤが入手できる。
ステップＳ１４：ＬＳＰ−Ｂ２の両端の端末ＩＤを検索する。これにより、ＬＳＰ−Ｃ１のパスＩＤが入手できる。
ステップＳ１５：ＬＳＰ−Ｂ２の片端点がＬＳＰ−Ｃ１であることがわかる
ステップＳ１６：ＯＳＳ４ｃにＬＳＰ−Ｃ１のパスＩＤを入力し、両端の端末ＩＤを検索して端末２ｃの端末ＩＤが入手できる。
以上の手順から、ＬＳＰ−Ａ１の故障により、端末２ａ，２ｂ，２ｃに影響を与えることがわかる。
【００３０】
続いて、図１０を用いて、図８におけるネットワークＡ内のパスＬＳＰ−Ａ１が故障したとき、どの端末に影響を及ぼしているかを把握する詳細な手順を示す。
ＯＳＳ４ａは、以下に示すＬＳＰ−Ａ１のパス情報と、端末２ａ及びＬＳＰ−Ｂ１に対応する端末情報を記憶している。さらに、ＯＳＳ４ａは、ＬＳＰ−Ａ１のパスＩＤと、端末２ａの端末ＩＤ及びＬＳＰ−Ｂ１に対応する端末ＩＤとが関連していることを記憶している。
＜ＬＳＰ−Ａ１のパス情報＞
パスＩＤ：Ａ０００１
パス名：ＬＳＰ−Ａ１    
＜端末２ａの端末情報＞
端末ＩＤ：ＴＡ０１
端末名：ＴｅｒｍＡ    
＜ＬＳＰ−Ｂ１に対応する端末情報＞
端末ＩＤ：Ｂ０００１
【００３１】
また、ＯＳＳ４ｂは、以下に示すＬＳＰ−Ｂ１及びＬＳＰ−Ｂ２のパス情報と、端末２ｂ及びＬＳＰ−Ｃ１に対応する端末情報とを記憶している。さらに、ＯＳＳ４ｂは、ＬＳＰ−Ｂ１のパスＩＤと端末２ｂの端末ＩＤとが関連し、ＬＳＰ−Ｂ２のパスＩＤとＬＳＰ−Ｃ１に対応する端末ＩＤとが関連していることを記憶している。
＜ＬＳＰ−Ｂ１のパス情報＞
パスＩＤ：Ｂ０００１
パス名：ＬＳＰ−Ｂ１
グループＩＤ：ＧＢ０１    
＜ＬＳＰ−Ｂ２のパス情報＞
パスＩＤ：Ｂ０００２
パス名：ＬＳＰ−Ｂ２
グループＩＤ：ＧＢ０１    
＜端末２ｂの端末情報＞
端末ＩＤ：ＴＢ０１
端末名：ＴｅｒｍＢ    
＜ＬＳＰ−Ｃ１に対応する端末情報＞
端末ＩＤ：Ｃ０００１
【００３２】
また、ＯＳＳ４ｃは、以下に示すＬＳＰ−Ｃ１のパス情報と、端末２ｃに対応する端末情報とを記憶している。さらに、ＯＳＳ４ｃは、ＬＳＰ−Ｃ１のパスＩＤと端末２ｃの端末ＩＤとが関連することを記憶している。
＜ＬＳＰ−Ｃ１のパス情報＞
パスＩＤ：Ｃ０００１
パス名：ＬＳＰ−Ｃ１    
＜端末２ｃの端末情報＞
端末ＩＤ：ＴＣ０１
端末名：ＴｅｒｍＣ
【００３３】
ＬＳＰ−Ａ１が故障すると、オペレータは、故障したＬＳＰ−Ａ１のパス名「ＬＳＰ−Ａ１」をＯＳＳ４ａへ入力する（ステップＳ１０５）。ＯＳＳ４ａは、入力されたパス名により内部に記憶するパス情報を検索し、パスＩＤ「Ａ０００１」を得る（ステップＳ１１０）。そして、このパスＩＤと関連付けられている両端の端末ＩＤ、すなわち、端末２ａの端末ＩＤ「ＴＡ０１」及びＬＳＰ−Ｂ１に対応する端末ＩＤ「Ｂ０００１」を得る（ステップＳ１１５、ステップＳ１２０）。
【００３４】
ＯＳＳ４ａは、ステップＳ１１５で取得した端末ＩＤ「ＴＡ０１」により内部に記憶する端末２ａの端末情報を検索し、端末名「ＴｅｒｍＡ」を得る（ステップＳ１２５）。そして、端末２ａの端末名「ＴｅｒｍＡ」と、ＬＳＰ−Ｂ１に対応する端末ＩＤ「Ｂ０００１」を画面に出力する（ステップＳ１３０、ステップＳ１３５）。これにより、ＬＳＰ−Ａ１の片端点がＬＳＰ−Ｂ１であることがわかる。
【００３５】
次に、ＯＳＳ４ｂ内で、ＬＳＰ−Ｂ１とマルチポイント接続下で同じ情報を流しているパスを見つける。具体的には、オペレータが、ステップＳ１３５で出力されたＬＳＰ−Ｂ１の端末ＩＤ「Ｂ０００１」を、パスＩＤとしてＯＳＳ４ｂへ入力する（ステップＳ１４０）。ＯＳＳ４ｂは、入力されたパスＩＤと関連付けられている端末２ｂの端末ＩＤ「ＴＢ０１」を得る（ステップＳ１４５）。そして、ＯＳＳ４ａは、取得した端末ＩＤ「ＴＢ０１」により内部に記憶する端末２ｂの端末情報を検索し、端末名「ＴｅｒｍＢ」を得ると、画面に出力する（ステップＳ１５０、ステップＳ１５５）。
【００３６】
さらに、ＯＳＳ４ｂは、ステップＳ１４０において入力されたパスＩＤ「Ｂ０００１」によりＬＳＰ−Ｂ１のパス情報を検索し、グループＩＤ「ＧＢ０１」を得る（ステップＳ１６０）。そして、この得られたグループＩＤ「ＧＢ０１」により他のパス情報を検索し、同じグループＩＤを持つＬＳＰ−Ｂ２のパス情報からパスＩＤ「Ｂ０００２」を得る（ステップＳ１６５）。さらに、このパスＩＤと関連付けられているＬＳＰ−Ｃ１に対応する端末ＩＤ「Ｃ０００１」を得ると、画面に出力する（ステップＳ１７０、ステップＳ１７５）。
【００３７】
次に、オペレータは、ステップＳ１７５で出力されたＬＳＰ−Ｃ１に対応する端末ＩＤ「Ｃ０００１」を、パスＩＤとしてＯＳＳ４ｃへ入力する（ステップＳ１８０）。ＯＳＳ４ｃは、入力されたパスＩＤと関連付けられている端末２ｃの端末ＩＤ「ＴＣ０１」を得る（ステップＳ１８５）。ＯＳＳ４ｃは、取得した端末ＩＤ「ＴＣ０１」により内部に記憶する端末２ｃの端末情報を検索し、端末名「ＴｅｒｍＣ」を得ると、画面に出力する（ステップＳ１９０、ステップＳ１９５）。
以上の手順により、ＬＳＰ−Ａ１の故障が端末２ａ，２ｂ，２ｃに影響を与えることがわかる。
【００３８】
次に、図１１〜図１３を用いて、Ｌ３インタフェースを用いた通信ネットワークにおけるエンド・ツー・エンドリソースの管理方法を説明する。
図１１は、Ｌ３インタフェースを用いた通信ネットワークの構成を示す図である。
同図においては、ネットワーク５ａ、ネットワーク５ｂ及びネットワーク５ｃが存在し、それぞれのネットワークは、ＯＳＳ８ａ、ＯＳＳ８ｂ、ＯＳＳ８ｃにより管理される。そして、ネットワーク５ａに属する端末６ａは、ネットワーク５ｂに属する端末６ｂ−１と、ネットワーク５ａ内のパスＬＳＰ−Ａ２及びネットワーク５ｂ内のパスＬＳＰ−Ｂ３を用いて通信を行う。また、ネットワーク５ｂに属する端末６ｂ−２は、ネットワーク５ｃに属する端末６ｃと、ネットワーク１ｂ内のパスＬＳＰ−Ｂ３及びネットワーク１ｃ内のパスＬＳＰ−Ｃ２を用いて通信を行う。そして、端末６ａ及び端末６ｂ−１は、同じ情報を流す端末のグループに属し、端末６ａが送信側、端末６ｂ−１が受信側であるとする。
ＬＳＰ−Ａ２及びＬＳＰ−Ｂ３は、ネットワーク５ａ内の装置のポート７ａ−１と、ネットワーク５ｂ内の装置のポート７ｂ−１とを用いて接続される。また、ＬＳＰ−Ｂ３及びＬＳＰ−Ｃ２は、ネットワーク５ｂ内の装置のポート７ｂ−１と、ネットワーク５ｃ内の装置のポート７ｃ−１とを用いて接続される。
端末６ａは、当該端末６ａを収容する装置のポート７ａ−２をＬＳＰ−Ａ２による通信のために用いる。また、端末６ｂ−１及び端末６ｂ−２は、当該端末６ｂ−１及び端末６ｂ−２を収容する装置のポート７ｂ−２をＬＳＰ−Ｂ３による通信のために用い、端末６ｃは、当該端末６ｃを収容する装置のポート７ｃ−２をＬＳＰ−Ｃ２による通信のために用いる。そして、端末６ａ、端末６ｂ−１、端末６ｂ−２及び端末６ｃと、各端末が収容される装置とは、Ｌ３インタフェースにより通信を行う。
【００３９】
図１２は、図１１に示す通信ネットワークの構成のエンド・ツー・エンドリソース管理方法を示す。
Ｌ３インタフェースの場合、各ノードは、受信側の端末との関連を保持している。すなわち、Ｌ３インタフェースを用いた通信ネットワークでは、パスオブジェクトは、受信側端末オブジェクトとの関連を保持する。このとき、図に示すように、隣接の接続されるネットワーク内のパスを受信側端末オブジェクトとして管理する。すなわち、ＯＳＳ８ａにおいて、ＬＳＰ−Ａ２のパス情報には、受信側となるネットワーク５ｂ内のＬＳＰ−Ｂ３に対応した端末情報が関連付けられる。また、ＯＳＳ４ｂにおいて、ＬＳＰ−Ｂ３の端末情報には、受信側の端末６ｂ−１及び６ｂ−２の端末情報が関連付けられる。以下に、ネットワーク５ａ内のパスＬＳＰ−Ａ２が故障したとき、どの端末に影響を及ぼしているかを把握する手順の概要を示す。
【００４０】
ステップＳ２１：ＬＳＰ−Ａ２が故障した場合、ＯＳＳ８ａは、ＬＳＰ−Ａ２に対応するパス情報内のパスＩＤを取得する。さらに、ＯＳＳ８ａは、入手したパスＩＤから受信側の端末ＩＤを検索する。その結果、ＬＳＰ−Ｂ３に対応する端末情報が取得できる。
ステップＳ２２：取得したＬＳＰ−Ｂ３に対応する端末情報から、ＬＳＰ−Ａ２からＬＳＰ−Ｂ３へと情報を流すネットワーク５ａ内の端末ＩＤを検索する。具体的には、ＬＳＰ−Ｂ３の端末情報内のグループＩＤと同じグループＩＤを保有する端末情報を探す。その結果、端末６ａの端末ＩＤを取得する。
ステップＳ２３：ステップＳ２１及びステップＳ２２と同様の手順により、同一のグループＩＤを保有する端末ＩＤを検索し、端末６ｂ−１の端末ＩＤが入手できる。
以上の手順から、ＬＳＰ−Ａ２の故障により、端末６ａ，６ｂ−１に影響を与えることがわかる。
【００４１】
続いて、図１３を用いて、図１１におけるネットワーク５ａ内のパスＬＳＰ−Ａ２が故障したとき、どの端末に影響を及ぼしているかを把握する詳細な手順を示す。
ＯＳＳ８ａは、以下に示すＬＳＰ−Ａ２のパス情報と、端末６ａ及びＬＳＰ−Ｂ３に対応する端末情報を記憶している。さらに、ＯＳＳ８ａは、ＬＳＰ−Ａ２のパスＩＤと、受信側となるＬＳＰ−Ｂ３に対応する端末ＩＤとが関連していることを記憶している。
＜ＬＳＰ−Ａ２のパス情報＞
パスＩＤ：Ａ０００２
パス名：ＬＳＰ−Ａ２
＜ＬＳＰ−Ｂ３に対応する端末情報＞
端末ＩＤ：Ｂ０００１
グループＩＤ：Ｇ００１    
＜端末６ａの端末情報＞
端末ＩＤ：ＴＡ０１
端末名：ＴｅｒｍＡ
グループＩＤ：Ｇ００１
【００４２】
また、ＯＳＳ８ｂは、以下に示す端末６ｂ−１の端末情報を記憶している。
＜端末６ｂ−１の端末情報＞
端末ＩＤ：ＴＢ０１
端末名：ＴｅｒｍＢ１
グループＩＤ：Ｇ００１
【００４３】
ＬＳＰ−Ａ２が故障すると、オペレータは、故障したＬＳＰ−Ａ２のパス名「ＬＳＰ−Ａ２」をＯＳＳ８ａへ入力する（ステップＳ２１０）。ＯＳＳ８ａは、入力されたパス名により内部に記憶するパス情報を検索し、パスＩＤ「Ａ０００２」を得る（ステップＳ２１５）。そして、このパスＩＤと関連付けられている受信側の端末ＩＤ、すなわち、ＬＳＰ−Ｂ３に対応する端末ＩＤ「Ｂ０００１」を得る（ステップＳ２２０）。
【００４４】
次に、ＯＳＳ８ａは、取得した端末ＩＤ「Ｂ０００１」により内部に記憶するＬＳＰ−Ｂ３に対応する端末情報を検索し、グループＩＤ「Ｇ００１」を得る（ステップＳ２２５）。そして、このグループＩＤにより端末情報を検索し、端末ＩＤ「ＴＡ０１」を持つ端末６ａの端末情報を得る（ステップＳ２３０）。ＯＳＳ８ａは、この端末６ａの端末情報内に示される端末名「ＴｅｒｍＡ」を画面に出力する（ステップＳ２３５、ステップＳ２４０）ともに、ステップＳ２２５において得られたグループＩＤ「Ｇ００１」を出力する（ステップＳ２４０）。
【００４５】
次に、オペレータは、ステップＳ２４０で出力されたグループＩＤ「Ｇ００１」をＯＳＳ８ｂに入力する（ステップＳ２５０）。ＯＳＳ８ｂは、入力されたグループＩＤにより内部に記憶する端末情報を検索し、端末ＩＤ「ＴＢ０１」を持つ端末６ｂ−１の端末情報を得る（ステップＳ２５５）。ＯＳＳ８ｂは、端末６ｂ−１の端末情報内に示される端末名「ＴｅｒｍＢ１」を画面に出力する（ステップＳ２６０、ステップＳ２６５）。
以上の手順により、ＬＳＰ−Ａ２の故障が端末６ａ，６ｂ−１に影響を与えることがわかる。
【００４６】
なお、上記において、ＯＳＳ４ｂ、４ｃへの端末ＩＤの入力、あるいは、ＯＳＳ８ｂへのグループＩＤの入力をオペレータが行っているが、それぞれを、ＯＳＳ４ａ、４ｂ、あるいは、ＯＳＳ８ａから受信することでもよい。
【００４７】
なお、上述のＯＳＳ４ａ，４ｂ，４ｃ，８ａ，８ｂ，８ｃは、内部にコンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００４８】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００４９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５０】
【図１】保守対象ネットワークの基本構成モデルを示す図である。
【図２】エンド・ツー・エンドリソース管理に使用されるデータ構造を示す図である。
【図３】従来のエンド・ツー・エンド管理メカニズムを示す図である。
【図４】ＩＰ系のエンド・ツー・エンド管理メカニズムを示す図である。
【図５】従来システムにおけるリソース管理方法を示す図である。
【図６】従来システムにおけるリソース管理方法を示す図である。
【図７】本発明に適用するＩＰ系の通信ネットワークにおけるリソース管理方法を示す図である。
【図８】Ｌ２インタフェースを用いた通信ネットワークの構成を示す図である。
【図９】図８に示す通信ネットワークの構成におけるエンド・ツー・エンドリソース管理方法を示す図である。
【図１０】図８に示す通信ネットワークの構成においてパスの故障が影響する端末を検索する手順を示す図である。
【図１１】Ｌ３インタフェースを用いた通信ネットワークの構成を示す図である。
【図１２】図１１に示す通信ネットワークの構成におけるエンド・ツー・エンドリソース管理方法を示す図である。
【図１３】図１１に示す通信ネットワークの構成においてパスの故障が影響する端末を検索する手順を示す図である。
【符号の説明】
【００５１】
１ａ、１ｂ、１ｃ、５ａ、５ｂ、５ｃ…ネットワーク
２ａ、２ｂ、２ｃ、６ａ、６ｂ−１、６ｂ−２、６ｃ…端末
３ａ−１、３ａ−２、３ｂ−１、３ｂ−２、３ｂ−３、３ｂ−４、３ｃ−１、３ｃ−２、７ａ−１、７ａ−２、７ｂ−１、７ｂ−２、７ｃ−１、７ｃ−２…ポート
４ａ、４ｂ、４ｃ、８ａ、８ｂ、８ｃ…ＯＳＳ（リソース管理システム）
【図１】
2005045623.tif 000003
【図２】
2005045623.tif 000004
【図３】
2005045623.tif 000005
【図４】
2005045623.tif 000006
【図５】
2005045623.tif 000007
【図６】
2005045623.tif 000008
【図７】
2005045623.tif 000009
【図８】
2005045623.tif 000010
【図９】
2005045623.tif 000011
【図１０】
2005045623.tif 000012
【図１１】
2005045623.tif 000013
【図１２】
2005045623.tif 000014
【図１３】
2005045623.tif 000015